(57)【要約】【課題】  巻き乱れを生じさせることを防止できる磁気テープカセットを提供する。【解決手段】  上ハーフ１１と下ハーフ１２とを蓋合わせ状に結合して形成されたカセットケースと、カセットケース内に回転可能に配され、磁気テープ２１を巻回した一対の巻取ハブ２６と、巻取ハブ２６の上側と下側に配置されたシート２４，２５とを備え、巻取ハブ２６に磁気テープ２１を巻回する側壁部２７が形成され、側壁部２７の下方端面に下ハーフ１２側へ突出するように形成されたラウンド部３１が設けられ、シート２４，２５には巻取ハブ２６に巻回される磁気テープ２１側へ突出するように形成されたシボリ部２８，２９が形成され、ラウンド部３１の高さがシボリ部２８，２９の高さより低く、且つ、側壁部２７のテープ巻面２７ａの上下方向における寸法が磁気テープ２１の幅寸法以上の長さである。【選択図】  図３
2005243140.tif 000002
【特許請求の範囲】
【請求項１】
上ハーフと下ハーフとを蓋合わせ状に結合して形成されたカセットケースと、
前記カセットケース内に回転可能に配され、磁気テープを巻回した一対の巻取ハブと、
前記巻取ハブの上側と下側に配置されたシートとを備え、
前記巻取ハブに前記磁気テープを巻回する側壁部が形成され、前記側壁部の下方端面に下ハーフ側へ突出するように形成されたラウンド部が設けられ、前記シートには前記巻取ハブに巻回される前記磁気テープ側へ突出するように形成されたシボリ部が形成され、前記ラウンド部の高さが前記シボリ部の高さより低く、且つ、前記側壁部のテープ巻面の上下方向における寸法が前記磁気テープの幅寸法以上の長さであることを特徴とする磁気テープカセット。
【発明の詳細な説明】
【技術分野】
【０００１】
本発明は、磁気テープカセットに関し、特に、磁気テープを巻回した巻取ハブを改良した磁気テープカセットに関する。
【背景技術】
【０００２】
従来の磁気テープカセットとしては、例えば、特許文献１に記載されたものがある。図５に従来の磁気テープカセットを示す。
図５に示すように、磁気テープカセット１００は、上ハーフ１０１と下ハーフ１０２との間に巻取ハブ１０４に巻回された磁気テープ１０６が収容されている。磁気テープ１０６は、巻取ハブ１０４の径方向外側に延設された側壁部１０５のテープ巻面１０５ａに巻回される。また、磁気テープカセット１００において、巻取ハブ１０４の上下にはシート１１０がそれぞれ配置されている。シート１１０には、巻取ハブ１０４側へ突出するように形成されたシボリ部１１２が設けられている。巻取ハブ１０４に巻回された磁気テープ１０６は、シボリ部１１２によって上下方向の位置規制が行われている。
【０００３】
【特許文献１】特開２０００−３１１４６２号公報
【発明の開示】
【発明が解決しようとする課題】
【０００４】
ところで、近年、磁気テープの記憶容量を増加させるため、磁気テープの幅寸法が現行のものよりも大きなる傾向があり、磁気テープの幅寸法の拡大に伴い磁気テープを巻回した巻取ハブの重量が大きくなることが予想される。
図５を参照すると、磁気テープ１０６の幅寸法が大きくなる場合には磁気テープ１０６を巻回した巻取ハブ１０４の荷重の増加によって、磁気テープ１０６の走行時において、下側のシート１１０が巻取ハブ１０４の側壁部１０５における下端部から受ける接触抵抗が大きくなる。このため、磁気テープカセット１００は、下側のシート１１０との接触抵抗に起因して巻取ハブ１０４の回転に支障が生じ、磁気テープに巻き乱れが生じるおそれがあった。
【０００５】
本発明は、このような事情に鑑みてなされたもので、巻き乱れを生じさせることを防止できる磁気テープカセットを提供することを目的としている。
【課題を解決するための手段】
【０００６】
本発明の上記目的は、上ハーフと下ハーフとを蓋合わせ状に結合して形成されたカセットケースと、カセットケース内に回転可能に配され、磁気テープを巻回した一対の巻取ハブと、巻取ハブの上側と下側に配置されたシートとを備え、巻取ハブに磁気テープを巻回する側壁部が形成され、側壁部の下方端面に下ハーフ側へ突出するように形成されたラウンド部が設けられ、シートには巻取ハブに巻回される磁気テープ側へ突出するように形成されたシボリ部が形成され、ラウンド部の高さがシボリ部の高さより低く、且つ、側壁部のテープ巻面の上下方向における寸法が磁気テープの幅寸法以上の長さであることを特徴とする磁気テープカセットによって達成される。
【０００７】
上記の磁気テープカセットは、側壁部の下方端面に下ハーフ側へ突出するように形成されたラウンド部が設けられ、シートには巻取ハブに巻回される磁気テープ側へ突出するように形成されたシボリ部が形成されている。また、ラウンド部の高さがシボリ部の高さより低く構成されているため、磁気テープの走行時には、磁気テープがシボリ部の先端部に摺動しつつ走行し、該磁気テープを巻装する巻取ハブの側壁部における下方端面が下側のシートに接触することを抑制することができる。さらに、側壁部の下方端面にはラウンド部が形成されているため、仮に巻取ハブが下側のシートに接触する場合でも、下方端面とシートとの接触面積が小さくでき、上記巻取ハブの回動に伴って生じる接触抵抗を低減させることが可能である。さらに、側壁部のテープ巻面の上下方向における寸法が磁気テープの幅寸法以上の長さとなるように構成されていることから、巻取ハブのテープ巻面の上下方向に巻き取られる磁気テープがはみ出すことを抑制することができる。このため、本発明に係る磁気テープカセットは、巻き乱れを生じさせることを防止できる。
【発明の効果】
【０００８】
本発明によれば、巻き乱れを生じさせることを防止できる磁気テープカセットを提供できる。
【発明を実施するための最良の形態】
【０００９】
図１は、本発明に係る磁気テープカセットの一実施形態を示す分解斜視図である。図１に示すように、磁気テープカセット１０は、上ハーフ１１と下ハーフ１２とを備え、これら上ハーフ１１と下ハーフ１２とを蓋合わせ状に結合して形成されたカセットケースを有している。
【００１０】
上ハーフ１１と下ハーフ１２とで構成されるカセットケース内には、一対の巻取ハブ２６に巻回され張架された磁気テープ２１が収容される。
【００１１】
上ハーフ１１には、カセット非使用時において、巻取ハブ２２が回転して磁気テープが弛まないように、ブレーキ部材１３が設けられている。ブレーキ部材１３は、２つの制動片１３ａを有し、この制動片１３ａが巻取ハブ２２の上端部周面に設けられた歯車３０と係合することによって巻取ハブ２２の回転を禁止するようになっている。カセット非使用時においては、ブレーキ部材１３は、制動片１３ａが歯車３０に係合するように、ねじりコイルばねを用いたブレーキばね１７によって付勢されている。ブレーキばね１７は、上ハーフ１１の内側面から突設された図示しない突起に係止されている。
【００１２】
上ハーフ１１には、カセット非使用時において、一対の巻取ハブ２６間に張架された磁気テープ２１を保護するため、該上ハーフ１１の前面側に支軸によって回動可能に支持された前蓋１５が設けられている。
【００１３】
下ハーフ１２の底面１２ａには、リール軸を挿入するためのリール軸挿入孔１２ｂが形成されている。リール軸挿入孔１２ｂの周囲には段差が設けられ巻取ハブ２６の下端部の一部を支える巻取ハブ受け部となっている。
【００１４】
下ハーフ１２の前面側には左右一対の張出部１２ｃが形成され、これら張出部１２ｃには磁気テープ２１をガイドするための円柱状のリブ１２ｄがそれぞれ設けられている。一対の張出部１２ｃの間に区画された空間には、磁気テープカセット１０を磁気記録再生装置に装填した際に、ローディング装置が進入する。
【００１５】
また、下ハーフ１２には、２つのリブを連続してハの字状に設けた前壁１２ｅが立設されている。前壁１２ｅによって三角形状に区切られた下ハーフ１２の底面１２ａにおける略中央部に垂直に柱状のリブ１２ｆが立設されている。この柱状のリブ１２ｆと前壁１２ｅとの間にＶ字状の板ばね１６が挿入される。
【００１６】
下ハーフ１２の下面には、該下ハーフ１２と摺動可能に取り付けられたスライダ１４が備えられている。スライダ１４の底面１４ａの前方には上記板ばね１６を支持する壁状のリブ１４ｂが立設されている。スライダ１４は、磁気テープカセット１０が図示しない記録再生装置に装填されたときにはカセットケースの後方に移動され、また、カセット非使用時には、上記板ばね１６の付勢力によってカセットケースの前方に保持される構成である。
【００１７】
また、スライダ１４の底板１４ａには、２つの孔１４ｂが設けられている。２つの孔１４ｂは、スライダ１４がカセットケースの後方に位置するときには、下ハーフ１２のリール軸挿入孔１２ｂと一致するように形成されている。
【００１８】
磁気テープ２１を巻回した一対の巻取ハブ２６は、該巻取ハブ２６の下側と上側にシート２４，２５が配置された状態で、上ハーフ１１と下ハーフ１２との間に収容される。シート２４，２５には、巻取ハブ２６の上下にそれぞれ配置した際に、巻取ハブ２６の端部が挿通される一対の開孔２４ｂ，２５ｂがそれぞれ形成されている。
【００１９】
シート２４，２５には、孔２４ａ，２５ａがそれぞれ形成されている。孔２４ａ，２５ａは、下ハーフ１２の底面１２ａに形成されたリブ１２ｇに挿通されることで、シート２４，２５を下ハーフ１２に対して位置決めする。
【００２０】
また、シート２４，２５には、カセットケースの左右方向に互いに平行に延びる２本のシボリ部２９，２８が形成されている。シボリ部２９，２８は、巻取ハブ２６が回転する際の接触抵抗を低減させて回転を滑らかにするとともに、該巻取ハブ２６に巻回された磁気テープ２１を支えて、高さを規制する。
【００２１】
図２は、本発明に係る磁気テープカセットの巻取ハブを平面視した状態を示す図である。図３は、図１に示す磁気テープカセットを組み立てた状態で、巻取ハブと上下のシートとの状態を説明する断面図である。なお、本実施形態で参照する図において各部の寸法は実際とは異なる比率で示している。
図２及び図３に示すように、巻取ハブ２６は、円筒形状を有する胴部２６ａと、胴部２６ａの外周面から径方向外方に形成された環状の側壁部２７とを備えている。
【００２２】
胴部２６ａの内周面には、リール軸と係合して巻取ハブ２６を回動するための複数（図２において６個）の係合突起２６ｂが互いに等間隔に設けられている。
【００２３】
巻取ハブ２６の側壁部２７の外周面には、磁気テープ２１を巻回するテープ巻面２７ａが形成されている。また、側壁部２７における上下端面には平坦部２７ｂが形成され、この平坦部２７ｂから突出するように、湾曲面を有するラウンド部３１が形成されている。側壁部２７の上端面のラウンド部３１は、上ハーフ１１側に湾曲面が突出するように形成され、側壁部２７の下端面のラウンド部３１は、下ハーフ１２側に湾曲面が突出するように形成されている。
【００２４】
本実施形態の磁気テープカセット１０では、図３に示すように、巻取ハブ２６の側壁部２７の下方端面側のラウンド部３１の平坦部２７ｂに対する高さをｈ1とし、下側のシート２４のシボリ部２９の高さをｈ2としたとき、シボリ部２９の高さｈ2よりラウンド部３１の高さｈ1が低くなるように構成されている。本実施形態では、ラウンド部３１の高さｈ1を０．２ｍｍとし、シボリ部２９の高さｈ2を０．２５ｍｍとした。本発明に係る磁気テープカセット１０において、ラウンド部３１の高さｈ1を０．０５ｍｍから０．４ｍｍの範囲としたとき、シボリ部２９（側壁部上側のラウンド部に対してはシボリ部２８）の高さｈ2を、上記ラウンド部３１の高さｈ1の高さより高くし、且つ、０．０５ｍｍから０．４５ｍｍの範囲とすることができる。
【００２５】
また、磁気テープカセット１０において、巻取ハブ２６が、側壁部２７のテープ巻面２７ａの上下方向（図３中上下方向）の寸法が磁気テープの幅寸法以上の長さとなるように構成されている。本実施形態では、磁気テープの幅寸法を４ｍｍとし、側壁部２７のテープ巻面２７ａの上下方向の寸法を４．５ｍｍとした。本発明に係る磁気テープカセット１０において、磁気テープの幅寸法を４ｍｍから８ｍｍの範囲としたとき、側壁部２７のテープ巻面２７ａの上下方向の寸法を上記磁気テープの幅寸法以上とし、且つ、４．１ｍｍ〜８．９ｍｍの範囲とすることができる。
【００２６】
ラウンド部３１は、側壁部２７の下側端面にのみ設けた構成としてもよい。しかし、ラウンド部３１を側壁部２７の上下の両側端面に設けた構成とすることがより好ましい。
【００２７】
上記の磁気テープカセット１０は、側壁部２７の下方端面に下ハーフ１２側へ突出するように形成されたラウンド部３１が設けられ、シート２４，２５には巻取ハブ２６に巻回される磁気テープ２１側へ突出するように形成されたシボリ部２８，２９が形成されている。また、ラウンド部３１の高さがシボリ部２８，２９の高さより低く構成されているため、磁気テープ２１の走行時には、磁気テープ２１がシボリ部２８，２９の先端部に摺動しつつ走行し、該磁気テープ２１を巻装する巻取ハブ２６の側壁部２７における下方端面が下側のシート２４に接触することを抑制することができる。ここで、側壁部２７の下側端面には湾曲面を有するラウンド部３１が形成されているため、仮に巻取ハブ２６の側壁部２７が下側のシート２４（又は上側のシート２５）に接触する場合でも、側壁部２７の上側端面及び下側端面と上下のシート２５，２４との接触面積が小さくできる。こうして、上記巻取ハブ２６の回動に伴って生じる接触抵抗を低減させることが可能である。さらに、側壁部２７のテープ巻面２７ａの上下方向における寸法が磁気テープ２１の幅寸法以上の長さとなるように構成されていることから、巻取ハブ２６のテープ巻面２７ａに巻き取られる磁気テープ２１が該テープ巻き面２７ａの上下にはみ出すことを抑制することができる。このため、本発明に係る磁気テープカセットは、巻き乱れを生じさせることを防止できる。
【００２８】
なお、本発明は、前述した実施形態に限定されるものではなく、適宜な変形、改良などが可能である。
例えば、側壁部に設けられるラウンド部の形状は、上記実施形態の形状に限定されない。図４は、巻取ハブの変形例を示す図である。なお、本例の構成では、すでに説明した部材などと同等な構成・作用を有する部材等については、図中に同一符号又は相当符号を付すことにより、説明を簡略化或いは省略する。
図４に示すように、巻取ハブ４６の側壁部４７の上側端面及び下側端面には、平坦部４７ｂと、この平坦部４７ｂから突出するように形成され、且つ、側壁部の周方向において互いに略等間隔に配置された複数のラウンド部５１が設けられている。
【００２９】
各ラウンド部３１は、巻取ハブ４６を上下方向いずれかから見た状態（図４の正面視の状態）で、図４に示すように矩形でもよいし、円形又は楕円形でもよい。また、ラウンド部３１は、図４に示すように規則的に配列してもよいし、側壁部４７の上下端面において散在させてもよい。
【図面の簡単な説明】
【００３０】
【図１】本発明に係る磁気テープカセットの一実施形態を示す分解斜視図である。
【図２】本発明に係る磁気テープカセットの巻取ハブを平面視した状態を示す図である。
【図３】図１に示す磁気テープカセットを組み立てた状態で、巻取ハブと上下のシートとの状態を説明する断面図である。
【図４】巻取ハブの変形例を示す図である。
【図５】従来の磁気テープカセットを示す断面図である。
【符号の説明】
【００３１】
１０    磁気テープカセット
１１    上ハーフ
１２    下ハーフ
２１    磁気テープ
２４，２５    シート
２６    巻取ハブ
２７    側壁部
２８，２９    シボリ部
３１    ラウンド部
【図１】
2005243140.tif 000003
【図２】
2005243140.tif 000004
【図３】
2005243140.tif 000005
【図４】
2005243140.tif 000006
【図５】
2005243140.tif 000007